(57)【要約】 【課題】  内容物の酸化の促進を確実に抑えると共に、蓋の開放時に蓋開放操作以外の作業を施すことなく容易に且つ安全に蓋を開けることができる脱酸素気密容器を提供すること。【解決手段】  容器３本体内の内容物の取り出しと、この容器３本体内を密封状態に維持する蓋体５を有し、かつ容器３本体内に存在する酸素を吸引する脱酸素手段９を備えた脱酸素気密容器であって、この脱酸素手段９による酸素吸引で容器３本体内が所定圧に減圧された場合に、外部より容器３本体内に自動的に空気を導入する気圧制御手段７が設けられている。【選択図】  図１
2006143238.tif 000002
【特許請求の範囲】
【請求項１】
容器本体内の内容物の取り出しと、該容器本体内を密封状態に維持する蓋体を有し、かつ容器本体内に存在する酸素を吸引する脱酸素手段を備えた脱酸素気密容器であって、前記脱酸素手段による酸素吸引で容器本体内が所定圧に減圧された場合に、外部より容器本体内に自動的に空気を導入する気圧制御手段が設けられていることを特徴とする脱酸素気密容器。
【請求項２】
前記脱酸素手段及び気圧制御手段を共に蓋体内に取り付けた請求項１に記載の脱酸素気密容器。
【請求項３】
前記脱酸素手段は蓋体に対し交換自在に配設されている請求項１または２に記載の脱酸素気密容器。
【発明の詳細な説明】
【技術分野】
【０００１】
本発明は、容器本体内の内容物の取り出しと、該容器本体内を密封状態に維持する蓋体を有し、かつ容器本体内に存在する酸素を吸引する脱酸素手段を備えた脱酸素気密容器に関する。
【背景技術】
【０００２】
一般に、気密容器内に酸素が存在すると、容器内の内容物が酸化し、味や色が変わったり、あるいは腐敗が進行したりする場合がある。このような状況を避けるために、脱酸素剤を収納したカプセル等を容器内に投入し、容器内の酸素を吸収して脱酸素処理を施して、内容物の酸化を阻止する保存手段が従来知られている。しかしながら脱酸素剤による酸素の吸収が促進されると容器内の負圧が増大し、内容物の使用時に蓋を開けようとすると外気との差圧により蓋が開けにくくなるため、圧力開放弁を備えていた。（特許文献１参照）。
【０００３】
【特許文献１】特開昭５３−２７８７５号公報（第２頁上右欄から下欄、第５図）
【発明の開示】
【発明が解決しようとする課題】
【０００４】
従来のこのような圧力開放弁を備えた気密容器は蓋を開けやすくするために便利であるが、利用者が圧力開放弁の存在を熟知しているとは限らず、蓋の開放に手間取ることがあるばかりでなく、圧力開放弁の操作部が操作しやすいように容器本体から外部に突出しているために、身体の一部や服に引っ掛ける恐れがあり好ましいものではなかった。
【０００５】
本発明は、このような状況に鑑みてなされたもので、内容物の酸化の促進を確実に抑えると共に、蓋の開放時に蓋開放操作以外の作業を施すことなく容易に且つ安全に蓋を開けることができる脱酸素気密容器を提供することを目的とする。
【課題を解決するための手段】
【０００６】
上記の目的を解決するために、本発明の請求項１に記載の脱酸素気密容器は、容器本体内の内容物の取り出しと、該容器本体内を密封状態に維持する蓋体を有し、かつ容器本体内に存在する酸素を吸引する脱酸素手段を備えた脱酸素気密容器であって、前記脱酸素手段による酸素吸引で容器本体内が所定圧に減圧された場合に、外部より容器本体内に自動的に空気を導入する気圧制御手段が設けられていることを特徴としている。
この特徴によれば、蓋体により容器本体内を密封状態に維持しているので、容器本体内の脱酸素効果は確実に行われ、かつ気圧制御手段により容器内の減圧が解消されて外気が自動的に導入されるので、蓋体の開放時に蓋開放操作以外の作業を施すことなく容易に蓋を開けることができる。
【０００７】
本発明の請求項２に記載の脱酸素気密容器は、請求項１に記載の脱酸素気密容器であって、前記脱酸素手段及び気圧制御手段を共に蓋体内に取り付けたことを特徴としている。
この特徴によれば、気圧制御手段が自動的に操作され、しかも蓋体内に取り付けられているので、かつ気圧制御手段の操作部を設ける必要がないので、気圧制御手段の操作部が身体の一部や服に引っ掛かかる恐れがない。脱酸素手段及び気圧制御手段を共に蓋体内に取り付けることで、従来の容器をそのまま使用できかつ容器をコンパクトに構成できる。
【０００８】
本発明の請求項３に記載の脱酸素気密容器は、請求項１または２に記載の脱酸素気密容器であって、前記脱酸素手段は蓋体に対し交換自在に配設されていることを特徴としている。
この特徴によれば、脱酸素手段の交換は蓋体を取り外すことで行えるのでその作業が楽に行える。
【発明を実施するための最良の形態】
【０００９】
本発明の実施例を以下に説明する。
【実施例１】
【００１０】
本発明の実施例１を図１及び２に基づいて説明する。図1は本発明の実施例１における脱酸素気密容器の断面図、図２は栓体の拡大断面図である。
【００１１】
図1には、内容物としてワイン１が収納された瓶等の液体容器３が示され、この液体容器３の注ぎ口３ａには蓋体としての栓体５が閉栓されている。栓体５は樹脂で構成され、一部が瓶の首部３ｂに挿入される栓体下部５ａと、気圧制御弁７を内蔵した栓体上部５ｂから成る。
【００１２】
図２に示すように、栓体下部５ａは握り部を構成する拡大頭部５Ａと瓶の首部３ｂに挿入される挿入筒部５Ｂとが一体成形され、内部に脱酸素剤９が納められ、この脱酸素剤９の中央部には上下方向に延びた貫通孔９ａが形成されている。栓体下部５ａの下端開口部にはキャップ１１が嵌入しており、その外方には栓体５の不使用時にキャップ１１を保護する保存キャップ１３がはめ込まれている。
【００１３】
キャップ１１には脱酸素剤９の貫通孔９ａと連通する図示していない複数の細孔が形成され、瓶上部の空隙部３Ａと脱酸素剤９とがキャップ１１の細孔を介して通じている。そして内容物がワイン等の液体の場合には、気体の流通を妨げないように撥水性のキャップとすることが好ましい。
【００１４】
栓体下部５ａの拡大頭部５Ａには中央部に気圧制御弁７を有する栓体上部５ｂが嵌合しており、栓体上部５ｂが栓体下部５ａより簡単に取り外せるように、栓体上部５ｂの周囲の一部に指かけ突起５ｂ−１が形成されている。気圧制御弁７はその本体軸部７ａが栓体上部５ｂの中央孔に挿入されて上下方向移動自在に支持されているが、常時は板バネ１５により上方に付勢されている。そのため弁本体軸部７ａ下部に設けたシールリング７ｂが栓体上部５ｂ下面と密封状態に当接している。
【００１５】
しかし瓶３内部側の圧が減圧され瓶外部の外圧との間に所定の圧力差が生じると、弁本体軸部７ａは板バネ１５の付勢力に抗して下方向に移動し、シールリング７ｂが栓体上部５ｂ下面から離れる。弁本体軸部７ａには連通切り欠き孔７ｃが形成されているため、シールリング７ｂが栓体上部５ｂ下面から離れると、脱酸素剤９の貫通孔９ａを介して外気と瓶３内部とが連通し、瓶３内部の減圧状態が解消される。
【００１６】
瓶３に栓体５をはめて内部を密封状態にするには、先ず栓体下部５ａにはめ込まれている保存キャップ１３を取り外し、キャップ１１を露出させる。その後、栓体下部５ａの拡大頭部５Ａを持って挿入筒部５Ｂを瓶３の首部３ｂに挿入する。瓶上部の空隙部３Ａが脱酸素剤９とキャップ１１の細孔を介して通じているので、空隙部３Ａ内に含まれる酸素は次第に脱酸素剤９に吸収され瓶３内が減圧状態になると共に、ワイン１の酸化の促進が確実に抑えられる。
【００１７】
そして瓶３内に減圧値が所定値になると、外気との差圧により板バネ１５が撓み、シールリング７ｂが開放されて、外気が瓶３内に導入して減圧状態が解消される。減圧がどの程度になった場合にシールリング７ｂが開くかは、板バネ１５のバネ定数やシールリング７ｂ径によって適宜設定することができる。空気が導入されるとその中に約２０パーセントの酸素が含まれているが、瓶３内が再び密封状態になれば、瓶内の酸素が脱酸素剤９に吸収される。このような動作を繰り返すことにより瓶内の酸素量はほとんどなくなり、ワインの酸化が阻止される。
【００１８】
また、ワイン１を飲む場合には、栓体下部５ａの拡大頭部５Ａを握り栓体５を上方に引き上げればよい。ワイン１を飲んだ後、瓶３の上方空隙部３Ａ内は空気で満たされるが、再度栓体５をはめることで脱酸素剤９により空気中の酸素は吸収されるワイン１の酸化が抑えられる。
【００１９】
このように本実施例１の発明は、瓶３内が所定の減圧状態になった場合に、気圧制御弁７により瓶３内の減圧が解消されて外気が自動的に導入されるので、栓体５の開放時に、気圧制御弁７の操作を知らない者であっても、栓体の開放操作以外の作業を施すことなく容易に栓体を開けることができる。そして気圧制御弁７が栓体５内に取り付けられているので、従来のもののように、気圧制御弁の操作部が身体の一部や服に引っ掛かかる恐れがない。
【００２０】
また、脱酸素剤９及び気圧制御弁７を共に栓体５内に取り付けることで、瓶３及び栓体５の外観は従来のものと変わらず、瓶は従来の瓶をそのまま使用できる。しかも栓体上部５ｂを栓体下部５ａより取り外せば、脱酸素剤９を栓体下部５ａより取り出せるので、脱酸素剤９の酸素吸収能力が低下した場合に容易に交換できる。
【実施例２】
【００２１】
本発明の実施例２を図３に基づいて説明する。図３は本発明の実施例２における脱酸素気密容器の断面図である。
【００２２】
実施例２における脱酸素気密容器は栓体２５の構造が実施例１における脱酸素気密容器の栓体５と異なっている。即ち栓体２５内に収納される脱酸素剤２９が栓体下部２５ａの拡大頭部２５Ａのみに配置され、挿入筒部２５Ｂには配置されていない。拡大頭部２５Ａの頂部に嵌合した栓体上部２５ｂには実施例１で説明したものと同様の気圧制御弁２７が設けられている。
【００２３】
そして脱酸素剤２９の交換に際しても、実施例１で説明したものと同様に栓体上部２５ｂを栓体下部２５ａより取り外し、脱酸素剤２９を取り出せばよい。本実施例２の発明は、瓶２３の首部２３ｂの径が小さい場合であっても、脱酸素剤２９を拡大頭部２５Ａに配置するので、挿入筒部２５Ｂは大きく形成する必要はなく、注ぎ口２３ａより首部２３ｂに挿入できる構造を有していればよい。
【００２４】
以上、本発明の実施例１，２を図面により説明してきたが、具体的な構成はこれら実施例に限られるものではなく、例えば、栓体の瓶に対する密封度を上げるために、栓体下部の外周にリングシールを嵌合させるようにしても良い。また、本発明では容器をワイン瓶で説明したが、酸化されやすい内容物を入れる容器であれば、内容物の種類を問わずどの様な容器であっても適用可能である。更に、実施例１では脱酸素剤９に外気と瓶３内部とを連通するための貫通孔９ａを設けているが、通気性のある脱酸素剤を用いることにより貫通孔を形成しないようにしても良い。
【図面の簡単な説明】
【００２５】
【図１】本発明の実施例１における脱酸素気密容器の断面図である。
【図２】栓体の拡大断面図である。
【図３】本発明の実施例２における脱酸素気密容器の断面図である
【符号の説明】
【００２６】
１                      ワイン
３                      瓶（容器）
３ａ                    注ぎ口
３ｂ                    首部
５                      栓体（蓋体）
５ａ                    栓体下部
５ｂ                    栓体上部
５ｂ−１                指かけ突起
５Ａ                    拡大頭部
５Ｂ                    挿入筒部
７                      気圧制御弁（気圧制御手段）
７ａ                    本体軸部
７ｂ                    シールリング
７ｃ                    連通切り欠き孔
９                      脱酸素剤（脱酸素手段）
９ａ                    貫通孔
１１                    キャップ
１３                    保存キャップ
１５                    板バネ
２３                    瓶
２３ａ                  注ぎ口
２３ｂ                  首部
２５                    栓体  
２５ａ                  栓体下部
２５ｂ                  栓体上部
２５Ａ                  拡大頭部
２５Ｂ                  挿入筒部
２７                    気圧制御弁
２９                    脱酸素剤
【図１】
2006143238.tif 000003
【図２】
2006143238.tif 000004
【図３】
2006143238.tif 000005